(57)【要約】【課題】映像乱れとシーン途切れのない階層切替再生を可能にする放送受信装置、再生方法、および、プログラムを提供する。【解決手段】放送受信装置は、再生時において、記録された弱階層および強階層ストリーム（３１、３２）を読み出し、記録された位置識別情報（３３）および受信品質情報（３４）を参照して、選択ストリームとして、弱階層ストリーム（３１）と強階層ストリーム（３２）との一方を選択ストリームとして選択する。弱階層ストリーム（３１）を選択しているときに、弱階層ストリーム（３１）の悪化直前Ｉフレーム（ｆ２５）に同期できるＩフレームが強階層ストリーム（３２）に存在しない場合、弱階層ストリーム（３１）の悪化直前Ｉフレーム（ｆ２５）より前の切替用Ｉフレーム（ｆ２０）を特定し、選択ストリームを切替用Ｉフレーム（ｆ２０）のタイミングで弱階層ストリーム（３１）から強階層ストリーム（３２）に切り替える。【選択図】図１
2014060470.tif 000002
【特許請求の範囲】
【請求項１】
弱階層で伝送されるストリームである弱階層ストリームと強階層で伝送されるストリームである強階層ストリームとを含む放送波を受信する放送受信部と、
前記弱階層ストリームおよび前記強階層ストリームと、それらのストリームの複数のＩフレームの位置とＩフレームを同期させるための識別子とを表す位置識別情報と、前記放送波を受信したときの受信品質を表す受信品質情報とが記録される放送記録部と、
前記放送記録部に記録された前記弱階層ストリームと前記強階層ストリームとを再生時に読み出す再生制御部と、
前記放送記録部に記録された前記位置識別情報および前記受信品質情報を参照して、前記再生制御部により読み出された前記弱階層ストリームと前記強階層ストリームとの一方を選択ストリームとして選択する再生品質解析部と、
を具備し、
前記再生品質解析部は、前記選択ストリームとして前記弱階層ストリームを選択しているときに、前記弱階層ストリームの複数のＩフレームうちの受信品質が悪化する直前のＩフレームである悪化直前Ｉフレームに同期するＩフレームが前記強階層ストリームに存在しない場合、前記弱階層ストリームの前記悪化直前Ｉフレームより前のＩフレームを切替用Ｉフレームとして特定し、前記選択ストリームを前記切替用Ｉフレームのタイミングで前記弱階層ストリームから前記強階層ストリームに切り替える、
ことを特徴とする放送受信装置。
【請求項２】
前記再生品質解析部は、前記選択ストリームとして前記弱階層ストリームを選択しているときに、前記弱階層ストリームの前記悪化直前Ｉフレームに同期するＩフレームが前記強階層ストリームに存在しない場合、前記強階層ストリームの複数のＩフレームうちの、前記弱階層ストリームの前記悪化直前Ｉフレームの前後のＩフレームに対応する第１フレームと第２フレームとの間に、前記弱階層ストリームの前記悪化直前Ｉフレームに同期できる中間フレームを生成して、前記弱階層ストリームの前記悪化直前Ｉフレームを前記切替用Ｉフレームとして特定し、前記選択ストリームを前記切替用Ｉフレームのタイミングで前記弱階層ストリームから前記強階層ストリームに切り替える、
ことを特徴とする請求項１に記載の放送受信装置。
【請求項３】
前記再生品質解析部は、前記選択ストリームとして前記強階層ストリームを選択しているときに、前記弱階層ストリームの複数のＩフレームうちの受信品質が改善した直後のＩフレームである改善直後Ｉフレームに同期するＩフレームが前記強階層ストリームに存在しない場合、前記弱階層ストリームの前記改善直後Ｉフレームまたはその後のＩフレームを前記切替用Ｉフレームとして特定し、前記選択ストリームを前記切替用Ｉフレームのタイミングで前記強階層ストリームから前記弱階層ストリームに切り替える、
ことを特徴とする請求項１または２に記載の放送受信装置。
【請求項４】
弱階層で伝送されるストリームである弱階層ストリームと強階層で伝送されるストリームである強階層ストリームとを含む放送波を受信するステップと、
前記弱階層ストリームおよび前記強階層ストリームと、それらのストリームの複数のＩフレームの位置とＩフレームを同期させるための識別子とを表す位置識別情報と、前記放送波を受信したときの受信品質を表す受信品質情報とを放送記録部に記録するステップと、
前記放送記録部に記録された前記弱階層ストリームと前記強階層ストリームとを再生時に読み出すステップと、
前記放送記録部に記録された前記位置識別情報および前記受信品質情報を参照して、前記弱階層ストリームと前記強階層ストリームとの一方を選択ストリームとして選択するステップと、
前記選択ストリームとして前記弱階層ストリームを選択しているときに、前記弱階層ストリームの複数のＩフレームうちの受信品質が悪化する直前のＩフレームである悪化直前Ｉフレームに同期するＩフレームが前記強階層ストリームに存在しない場合、前記弱階層ストリームの前記悪化直前Ｉフレームより前のＩフレームを切替用Ｉフレームとして特定し、前記選択ストリームを前記切替用Ｉフレームのタイミングで前記弱階層ストリームから前記強階層ストリームに切り替えるステップと、
を具備することを特徴とする放送受信装置を用いた再生方法。
【請求項５】
請求項４に記載の再生方法の各ステップを放送受信装置に実行させるためのプログラム。
【発明の詳細な説明】
【技術分野】
【０００１】
本発明は、受信品質情報に基づいてストリームを切り替える放送受信装置、再生方法、および、プログラムに関する。
【背景技術】
【０００２】
地上デジタル放送において、弱階層で伝送されるストリーム（番組／コンテンツ）である弱階層ストリームと、強階層で伝送されるストリームである強階層ストリームとを含む放送波を受信し、弱階層ストリームおよび強階層ストリームと、放送波を受信したときの電波状態を表す電波受信状況とを記録しておき、再生時に、電波受信状況を参照して弱階層ストリームと強階層ストリームとの一方から他方に切り替える技術が知られている。
【０００３】
また、特許文献１に記載された技術では、放送波を受信したときに、弱階層ストリームおよび強階層ストリームと、それらのストリームの複数のＩフレームの位置を表す位置情報と、電波受信状況も併せて受信品質を表す受信品質情報とを記録しておき、再生時に、受信品質情報と位置情報とを参照して弱階層ストリームと強階層ストリームとの一方から他方に切り替えている。
【先行技術文献】
【特許文献】
【０００４】
【特許文献１】特許第４３５２９７６号
【発明の概要】
【発明が解決しようとする課題】
【０００５】
しかし、地上デジタル放送では、弱階層ストリームと強階層ストリームでは放送波で送信できるビットレートの違いから、符号化の方法が異なる。そのため、図９に示されるように、再生時に必要となるＩフレームの間隔も異なる。ビットレートの高い弱階層ストリームでは、映像のフレームレートが高く、それに併せてＩフレームの間隔が短い符号化が施されている。逆に、ビットレートの低い強階層ストリームでは，映像のフレームレートが低く、符号化効率の高い符号化を採るため、Ｉフレームの間隔が長くなっている。このため、図１０に示されるように、弱階層ストリームのＩフレーム数（ｆ１０、ｆ１５、ｆ２０、ｆ２５、ｆ３０、ｆ３５、…）は強階層ストリームのＩフレーム数（ｆ１０、ｆ２０、ｆ３０、…）よりも多く、強階層ストリームには、弱階層ストリームにシーン同期できるＩフレーム（ｆ１５、ｆ２５、ｆ３５、…）が存在しない時間がある。
【０００６】
また、弱階層ストリームおよび強階層ストリームはサイマル放送という形で同じ番組が放送されている。しかし、前述の符号化方式の差異などから、弱階層ストリームと強階層ストリームとで同じシーン（Ｉフレームで識別される）であっても、強階層ストリームは弱階層ストリームに比べて所定時間Δｔａｂ（一般的には３秒程度）だけ遅れて伝送される。
【０００７】
このように、符号化方式の差異により、特許文献１のように、再生時に受信品質情報と位置情報とを参照するだけでは、弱階層ストリームと強階層ストリームとの一方から他方に切り替える際に、映像が乱れたり、シーンが途切れたりして（少し飛んだりあるいは少し後戻りする）、なめらかなコンテンツの再生を実現できない。
【０００８】
本発明は、上記の点に鑑みてなされたものであり、映像乱れとシーン途切れのない階層切替再生を可能にする放送受信装置、再生方法、および、プログラムを提供することを目的とする。
【課題を解決するための手段】
【０００９】
本発明の放送受信装置は、弱階層で伝送されるストリームである弱階層ストリームと強階層で伝送されるストリームである強階層ストリームとを含む放送波を受信する放送受信部と、前記弱階層ストリームおよび前記強階層ストリームと、それらのストリームの複数のＩフレームの位置とＩフレームを同期させるための識別子とを表す位置識別情報と、前記放送波を受信したときの受信品質を表す受信品質情報とが記録される放送記録部と、前記放送記録部に記録された前記弱階層ストリームと前記強階層ストリームとを再生時に読み出す再生制御部と、前記放送記録部に記録された前記位置識別情報および前記受信品質情報を参照して、前記再生制御部により読み出された前記弱階層ストリームと前記強階層ストリームとの一方を選択ストリームとして選択する再生品質解析部と、を具備し、前記再生品質解析部は、前記選択ストリームとして前記弱階層ストリームを選択しているときに、前記弱階層ストリームの複数のＩフレームうちの受信品質が悪化する直前のＩフレームである悪化直前Ｉフレームに同期するＩフレームが前記強階層ストリームに存在しない場合、前記弱階層ストリームの前記悪化直前Ｉフレームより前のＩフレームを切替用Ｉフレームとして特定し、前記選択ストリームを前記切替用Ｉフレームのタイミングで前記弱階層ストリームから前記強階層ストリームに切り替える、ことを特徴とする。
【００１０】
本発明の放送受信装置を用いた再生方法は、弱階層で伝送されるストリームである弱階層ストリームと強階層で伝送されるストリームである強階層ストリームとを含む放送波を受信するステップと、前記弱階層ストリームおよび前記強階層ストリームと、それらのストリームの複数のＩフレームの位置とＩフレームを同期させるための識別子とを表す位置識別情報と、前記放送波を受信したときの受信品質を表す受信品質情報とを放送記録部に記録するステップと、前記放送記録部に記録された前記弱階層ストリームと前記強階層ストリームとを再生時に読み出すステップと、前記放送記録部に記録された前記位置識別情報および前記受信品質情報を参照して、前記弱階層ストリームと前記強階層ストリームとの一方を選択ストリームとして選択するステップと、前記選択ストリームとして前記弱階層ストリームを選択しているときに、前記弱階層ストリームの複数のＩフレームうちの受信品質が悪化する直前のＩフレームである悪化直前Ｉフレームに同期するＩフレームが前記強階層ストリームに存在しない場合、前記弱階層ストリームの前記悪化直前Ｉフレームより前のＩフレームを切替用Ｉフレームとして特定し、前記選択ストリームを前記切替用Ｉフレームのタイミングで前記弱階層ストリームから前記強階層ストリームに切り替えるステップと、を具備することを特徴とする。
【００１１】
本発明のプログラムは、上記再生方法の各ステップを放送受信装置に実行させる。
【発明の効果】
【００１２】
本発明によれば、映像乱れとシーン途切れのない階層切替再生を可能にする。
【図面の簡単な説明】
【００１３】
【図１】本発明の実施形態に係る放送受信装置の構成を示す概略ブロック図である。
【図２】本発明の実施形態に係る放送受信装置の放送記録部に記録される情報を示し、第１の再生方法を説明するための図である。
【図３】本発明の実施形態に係る放送受信装置の放送記録部に記録される情報を示し、第２の再生方法を説明するための図である。
【図４】図３において、第２の再生方法の応用例を説明するための図である。
【図５】本発明の実施形態に係る放送受信装置の放送記録部に記録される情報を示し、第３の再生方法を説明するための図である。
【図６】本発明の実施形態に係る放送受信装置の放送記録部に記録される情報を示し、第４の再生方法を説明するための図である。
【図７】図６において、第４の再生方法の応用例を説明するための図である。
【図８】本発明の実施形態に係る放送受信装置の動作（再生方法）を示すフローチャートである。
【図９】放送波で伝送される弱階層ストリームおよび強階層ストリームを示す図である。
【図１０】放送波で伝送される弱階層ストリームおよび強階層ストリームのＩフレームの位置を示す図である。
【発明を実施するための形態】
【００１４】
以下、図面を参照しながら本発明の実施形態について説明する。本発明の実施形態に係る放送受信装置は、携帯電話機、スマートフォン、カーナビゲーションなどに適用される。
【００１５】
図１は、本発明の実施形態に係る放送受信装置の構成を示す概略ブロック図である。本発明の実施形態に係る放送受信装置は、放送受信部２１と、放送出力部２２と、主制御部２と、情報格納部７と、入力部８と、イヤホン出力部１１と、ブルートゥース出力部１２と、再生制御部１３と、録画制御部１４と、放送記録部１５と、再生品質解析部１６と、を具備している。
【００１６】
主制御部２は、放送受信部２１、放送出力部２２、情報格納部７、入力部８、イヤホン出力部１１、ブルートゥース出力部１２、再生制御部１３、録画制御部１４、放送記録部１５、再生品質解析部１６に対して制御を行う。主制御部２は、例えばＣＰＵ（Ｃｅｎｔｒａｌ  Ｐｒｏｃｅｓｓｉｎｇ  Ｕｎｉｔ）等から構成されている。
【００１７】
放送受信部２１は、アンテナ６、チューナ部１を備えている。放送出力部２２は、分離部３、映像デコード部４、音声デコード部５、表示部９、スピーカ１０を備えている。
【００１８】
アンテナ６は、マルチメディア放送などのデジタル放送を受信するアンテナである。チューナ部１は、アンテナ６が受信したデジタル放送からユーザにより指定された放送局の周波数を選択し、その周波数で放送されたデジタル放送のＴＳ（Ｔｒａｎｓｐｏｒｔ  Ｓｔｒｅａｍ）を分離部３、あるいは、録画制御部１４に出力するチューナである。入力部８は、ボタンやタッチパネル、キーボードなど、ユーザからの情報の入力操作を受け付ける入力デバイスである。
【００１９】
表示部９は、デジタル放送の映像やデータ放送のデータ、ユーザに提供する情報などを表示する液晶ディスプレイなどの表示デバイスである。スピーカ１０は、デジタル放送の音声などを出力するスピーカである。イヤホン出力部１１は、デジタル放送の音声などをイヤホン出力部１１が備えるイヤホンジャックを介して出力する処理部である。ブルートゥース出力部１２は、デジタル放送の音声などをブルートゥース通信により他の装置に出力する処理部である。
【００２０】
放送記録部１５、情報格納部７は、不揮発性メモリやハードディスク装置などの記憶デバイスである。放送記録部１５は、デジタル放送のＴＳを記録する。情報格納部７は、放送されるストリーム（番組やコンテンツ）の案内情報（例えば、ＥＰＧやＥＣＧ。以下、ストリーム案内情報と呼ぶ。）などの、デジタル放送を受信することにより得られた情報や、ユーザが入力部８を介して設定した情報、連結ＯＦＤＭセグメント情報などを記録する。ここで、連結ＯＦＤＭセグメント情報とは、連結ＯＦＤＭセグメントに含まれるセグメントのうち、ストリーム案内情報の放送に用いられるセグメントの情報である。
【００２１】
再生品質解析部１６は、再生制御部１３が再生時に放送記録部１５からストリームを読み出したときに、放送記録部１５にストリームと共に記録された情報に基づいてどの階層のコンテンツを再生するかを選択して放送出力部２２に出力する。放送記録部１５に記録される情報について説明する。
【００２２】
まず、放送受信部２１は、サイマル放送される放送波を受信する。放送波は、弱階層で伝送されるストリームである弱階層ストリームと、強階層で伝送されるストリームである強階層ストリームとを含んでいる。図２〜７に示されるように、録画制御部１４は、視聴中の録画や予約による録画の際に、上記の弱階層ストリーム、強階層ストリームをそれぞれ弱階層ストリーム３１、強階層ストリーム３２として放送記録部１５に記録する。
【００２３】
ここで、前述の符号化方式の差異などから、弱階層ストリーム３１のＩフレーム数（ｆ１０、ｆ１５、ｆ２０、ｆ２５、ｆ３０、ｆ３５、…）は強階層ストリーム３２のＩフレーム数（ｆ１０、ｆ２０、ｆ３０、…）よりも多く、強階層ストリーム３２には、弱階層ストリーム３１にシーン同期できるＩフレーム（ｆ１５、ｆ２５、ｆ３５、…）が存在しない時間がある。また、強階層ストリーム３２は弱階層ストリーム３１に比べて所定時間Δｔａｂだけ遅れて伝送される。
【００２４】
また、録画制御部１４は、弱階層ストリーム３１および強階層ストリーム３２と共に、位置識別情報３３と、受信品質情報３４とを放送記録部１５に記録する。
【００２５】
位置識別情報３３は、弱階層ストリーム３１および強階層ストリーム３２の複数のＩフレームの位置とそのシーン（Ｉフレーム）を同期させるための識別子とを含んでいる。識別子としては、ＰＣＲパケットのカウンタ値が例示される。
【００２６】
受信品質情報３４は、放送受信部２１が放送波を受信したときの電波受信状況と受信品質とを含んでいる。受信品質情報３４としては、例えば搬送波対雑音比（ＣＮ比）、ビット誤り率（ＢＥＲ）、パケット誤り率（ＰＥＲ）、信号受信強度（ＲＳＳＩ）等が挙げられる。例えば、ＣＮ比の値がＣＮ比の設定値を超えている場合、受信品質が良好である。ＢＥＲ、ＰＥＲの値がそれぞれＢＥＲ、ＰＥＲの設定値を超えていない場合、受信品質が良好である。ＲＳＳＩの値が設定範囲内にある場合、受信品質が良好である。
【００２７】
図８は、本発明の実施形態に係る放送受信装置の動作（再生方法）を示すフローチャートである。ここで、各再生方法について例を挙げて説明する。
【００２８】
（第１の再生方法）
第１の再生方法では、弱階層ストリーム３１を再生しているときに、弱階層ストリーム３１の複数のＩフレームうちの受信品質が悪化する直前のＩフレームに同期できるＩフレームが強階層ストリーム３２に存在する場合について、図２および図８を用いて説明する。
【００２９】
再生制御部１３は、再生時に、放送記録部１５に記録された弱階層ストリーム３１と強階層ストリーム３２とを読み出す。再生品質解析部１６は、放送記録部１５に記録された位置識別情報３３および受信品質情報３４を参照して、再生制御部１３により読み出された弱階層ストリーム３１と強階層ストリーム３２との一方を選択ストリームとして選択する。ここで、再生品質解析部１６は、弱階層ストリーム３１の受信品質が良好な時間帯において、選択ストリームとして弱階層ストリーム３１を選択する（ステップＳ１−Ｙｅｓ）。
【００３０】
この場合、放送出力部２２は、再生制御部１３により弱階層ストリーム３１が読み出された読出時間ｔα２に対して、所定時間Δｔａｂよりも長い設定時間Δｔαだけ遅らせた再生時間ｔα１に弱階層ストリーム３１を出力する（ステップＳ２）。ここで、読出時間ｔα２は時間ｔ６とｔ７との間の時間であり、再生時間ｔα１は時間ｔ２とｔ３との間の時間であるものとする。
【００３１】
たとえば、再生品質解析部１６は、弱階層ストリーム３１の複数のＩフレームうちの受信品質が悪化する時間ｔａ（時間ｔ４と時間ｔ５との間の時間）の直前のＩフレームである悪化直前Ｉフレームｆ２０（時間ｔ４におけるＩフレームｆ２０）を検出する（ステップＳ３−Ｙｅｓ、Ｓ４）。
【００３２】
ここで、弱階層ストリーム３１の悪化直前Ｉフレームｆ２０にシーン同期できるＩフレームが、時間ｔ６において強階層ストリーム３２に存在する場合、再生品質解析部１６は、悪化直前Ｉフレームｆ２０を切替用Ｉフレームとして特定する（ステップＳ５−Ｙｅｓ）。再生品質解析部１６は、選択ストリームを、切替用Ｉフレームｆ２０のタイミングで、時間ｔ４における弱階層ストリーム３１から、時間ｔ６における強階層ストリーム３２に切り替える（ステップＳ９）。
【００３３】
（第２の再生方法）
第２の再生方法では、受信品質が悪化する時間が第１の再生方法とは異なる。第２の再生方法では、弱階層ストリーム３１を再生しているときに、弱階層ストリーム３１の複数のＩフレームうちの受信品質が悪化する直前のＩフレームに同期できるＩフレームが強階層ストリーム３２に存在しない場合について、図３および図８を用いて説明する。第２の再生方法では、同期できるＩフレームが強階層ストリーム３２に存在しない場合でも映像乱れとシーン途切れのない階層切替再生を可能にする。
【００３４】
再生制御部１３は、再生時に、放送記録部１５に記録された弱階層ストリーム３１と強階層ストリーム３２とを読み出す。再生品質解析部１６は、放送記録部１５に記録された位置識別情報３３および受信品質情報３４を参照して、弱階層ストリーム３１の受信品質が良好な時間帯において、再生制御部１３により読み出された弱階層ストリーム３１、強階層ストリーム３２のうちの弱階層ストリーム３１を選択ストリームとして選択する（ステップＳ１−Ｙｅｓ）。
【００３５】
この場合、放送出力部２２は、再生制御部１３により弱階層ストリーム３１が読み出された読出時間ｔα２（時間ｔ６とｔ７との間の時間）に対して、設定時間Δｔαだけ遅らせた再生時間ｔα１（時間ｔ２とｔ３との間の時間）に弱階層ストリーム３１を出力する（ステップＳ２）。
【００３６】
たとえば、再生品質解析部１６は、弱階層ストリーム３１の複数のＩフレームうちの受信品質が悪化する時間ｔａ（時間ｔ６と時間ｔ７との間の時間）の直前のＩフレームである悪化直前Ｉフレームｆ２５（時間ｔ５におけるＩフレームｆ２５）を検出する（ステップＳ３−Ｙｅｓ、Ｓ４）。
【００３７】
ここで、弱階層ストリーム３１の悪化直前Ｉフレームｆ２５にシーン同期できるＩフレームが強階層ストリーム３２に存在しない場合（ステップＳ５−Ｎｏ）、再生品質解析部１６は、弱階層ストリーム３１の悪化直前Ｉフレームｆ２５より前のＩフレームｆ２０を切替用Ｉフレームとして特定し、弱階層ストリーム３１のＩフレームｆ２０の位置を示す時間ｔ４まで待機する（ステップＳ６−Ｎｏ、Ｓ７）。この場合、再生品質解析部１６は、選択ストリームを、切替用Ｉフレームｆ２０のタイミングで、時間ｔ４における弱階層ストリーム３１から、時間ｔ６における強階層ストリーム３２に切り替える（ステップＳ９）。
【００３８】
（第２の再生方法の応用例）
第２の再生方法の応用例では、後述の中間フレームを強階層ストリーム３２に生成する点が第２の再生方法とは異なる。第２の再生方法の応用例について、図４および図８を用いて説明する。この場合でも映像乱れとシーン途切れのない階層切替再生を可能にする。
【００３９】
ステップＳ４後において、弱階層ストリーム３１の悪化直前Ｉフレームｆ２５にシーン同期できるＩフレームが強階層ストリーム３２に存在しない場合（ステップＳ５−Ｎｏ）、再生品質解析部１６は、強階層ストリーム３２の複数のＩフレームうちの、弱階層ストリーム３１の悪化直前Ｉフレームｆ２５の前後のＩフレームに対応するＩフレームｆ２０とＩフレームｆ３０との間に、弱階層ストリーム３１の悪化直前Ｉフレームｆ２５に同期できる中間フレームｆ２５’を生成する（ステップＳ６−Ｙｅｓ）。
【００４０】
再生品質解析部１６は、弱階層ストリーム３１の悪化直前Ｉフレームｆ２５を切替用Ｉフレームとして特定し、弱階層ストリーム３１の悪化直前Ｉフレームｆ２５の位置を示す時間ｔ５まで待機する（ステップＳ８）。この場合、再生品質解析部１６は、選択ストリームを、切替用Ｉフレームｆ２５のタイミングで、時間ｔ５における弱階層ストリーム３１から、時間ｔｃにおける強階層ストリーム３２に切り替える（ステップＳ９）。
【００４１】
（第３の再生方法）
第３の再生方法では、強階層ストリーム３２を再生しているときに、弱階層ストリーム３１の受信品質が改善した直後のＩフレームに同期できるＩフレームが強階層ストリーム３２に存在する場合について、図５および図８を用いて説明する。
【００４２】
再生制御部１３は、再生時に、放送記録部１５に記録された弱階層ストリーム３１と強階層ストリーム３２とを読み出す。再生品質解析部１６は、放送記録部１５に記録された位置識別情報３３および受信品質情報３４を参照して、再生制御部１３により読み出された弱階層ストリーム３１と強階層ストリーム３２との一方を選択ストリームとして選択する。ここで、再生品質解析部１６は、弱階層ストリーム３１の受信品質が悪化した時間帯において、選択ストリームとして強階層ストリーム３２を選択する（ステップＳ１−Ｎｏ）。
【００４３】
この場合、放送出力部２２は、再生制御部１３により強階層ストリーム３２が読み出された読出時間ｔβ２に対して、所定時間Δｔａｂよりも長い設定時間Δｔβだけ遅らせた再生時間ｔβ１に強階層ストリーム３２を出力する（ステップＳ１０）。ここで、読出時間ｔβ２は時間ｔ８とｔ９との間の時間であり、再生時間ｔβ１は時間ｔ４とｔ５との間の時間であるものとする。
【００４４】
たとえば、再生品質解析部１６は、弱階層ストリーム３１の複数のＩフレームうちの受信品質が改善した時間ｔａ（時間ｔ５と時間ｔ６との間の時間）の直後のＩフレームである改善直後Ｉフレームｆ３０（時間ｔ７におけるＩフレームｆ３０）を検出する（ステップＳ１１−Ｙｅｓ、Ｓ１２）。
【００４５】
ここで、弱階層ストリーム３１の改善直後Ｉフレームｆ３０にシーン同期できるＩフレームが、時間ｔ９において強階層ストリーム３２に存在する場合、再生品質解析部１６は、改善直後Ｉフレームｆ３０を切替用Ｉフレームとして特定する（ステップＳ１３−Ｙｅｓ）。再生品質解析部１６は、選択ストリームを、切替用Ｉフレームｆ３０のタイミングで、時間ｔ９における強階層ストリーム３２から、時間ｔ７における弱階層ストリーム３１に切り替える（ステップＳ１７）。
【００４６】
（第４の再生方法）
第４の再生方法では、受信品質が悪化する時間が第３の再生方法とは異なる。第４の再生方法では、強階層ストリーム３２を再生しているときに、弱階層ストリーム３１の受信品質が改善した直後のＩフレームに同期できるＩフレームが強階層ストリーム３２に存在しない場合について、図６および図８を用いて説明する。第４の再生方法では、同期できるＩフレームが強階層ストリーム３２に存在しない場合でも映像乱れとシーン途切れのない階層切替再生を可能にする。
【００４７】
再生制御部１３は、再生時に、放送記録部１５に記録された弱階層ストリーム３１と強階層ストリーム３２とを読み出す。再生品質解析部１６は、放送記録部１５に記録された位置識別情報３３および受信品質情報３４を参照して、弱階層ストリーム３１の受信品質が悪化した時間帯において、再生制御部１３により読み出された弱階層ストリーム３１、強階層ストリーム３２のうちの強階層ストリーム３２を選択ストリームとして選択する（ステップＳ１−Ｎｏ）。
【００４８】
この場合、放送出力部２２は、再生制御部１３により弱階層ストリーム３１が読み出された読出時間ｔβ２（時間ｔ８とｔ９との間の時間）に対して、設定時間Δｔβだけ遅らせた再生時間ｔβ１（時間ｔ４とｔ５との間の時間）に強階層ストリーム３２を出力する（ステップＳ２）。
【００４９】
たとえば、再生品質解析部１６は、弱階層ストリーム３１の複数のＩフレームうちの受信品質が改善した時間ｔａ（時間ｔ４と時間ｔ５との間の時間）の直後のＩフレームである改善直後Ｉフレームｆ２５（時間ｔ５におけるＩフレームｆ２５）を検出する（ステップＳ１１−Ｙｅｓ、Ｓ１２）。
【００５０】
ここで、弱階層ストリーム３１の改善直後Ｉフレームｆ２５にシーン同期できるＩフレームが強階層ストリーム３２に存在しない場合（ステップＳ１３−Ｎｏ）。再生品質解析部１６は、弱階層ストリーム３１の改善直後Ｉフレームｆ２５の後のＩフレームｆ３０を切替用Ｉフレームとして特定し、強階層ストリーム３２のＩフレームｆ３０の位置を示す時間ｔ９まで待機する（ステップＳ１４−Ｎｏ、Ｓ１５）。この場合、再生品質解析部１６は、選択ストリームを、切替用Ｉフレームｆ３０のタイミングで、時間ｔ９における強階層ストリーム３２から、時間ｔ７における弱階層ストリーム３１に切り替える（ステップＳ１７）。
【００５１】
（第４の再生方法の応用例）
第４の再生方法の応用例では、後述の中間フレームを強階層ストリーム３２に生成する点が第４の再生方法とは異なる。第４の再生方法の応用例について、図７および図８を用いて説明する。この場合でも映像乱れとシーン途切れのない階層切替再生を可能にする。
【００５２】
ステップＳ１２後において、弱階層ストリーム３１の改善直後Ｉフレームｆ２５にシーン同期できるＩフレームが強階層ストリーム３２に存在しない場合（ステップＳ１３−Ｎｏ）、再生品質解析部１６は、強階層ストリーム３２の複数のＩフレームうちの、弱階層ストリーム３１の改善直後Ｉフレームｆ２５の前後のＩフレームに対応するＩフレームｆ２０とＩフレームｆ３０との間に、弱階層ストリーム３１の改善直後Ｉフレームｆ２５にシーン同期できる中間フレームｆ２５’を生成する（ステップＳ１４−Ｙｅｓ）。
【００５３】
再生品質解析部１６は、弱階層ストリーム３１の改善直後Ｉフレームｆ２５を切替用Ｉフレームとして特定し、上記改善直後Ｉフレームｆ２５に同期する強階層ストリーム３２の中間フレームｆ２５’の位置を示す時間ｔｃまで待機する（ステップＳ８）。この場合、再生品質解析部１６は、選択ストリームを、切替用Ｉフレームｆ２５のタイミングで、時間ｔｃにおける強階層ストリーム３２から、時間ｔ５における弱階層ストリーム３１に切り替える（ステップＳ１７）。
【００５４】
以上の説明により、本発明の実施形態に係る放送受信装置では、弱階層で伝送されるストリームである弱階層ストリーム３１と強階層で伝送されるストリームである強階層ストリーム３２とを含む放送波を受信する放送受信部２１と、弱階層ストリーム３１および強階層ストリーム３２とそれらのストリーム３１、３２の複数のＩフレームの各々の位置を表す位置情報３３と放送波を受信したときの受信品質を表す受信品質情報３４とが記録される放送記録部１５と、放送記録部１５に記録された弱階層ストリーム３１と強階層ストリーム３２とを再生時に読み出す再生制御部１３と、放送記録部１５に記録された位置情報３３および受信品質情報３４を参照して、再生制御部１３により読み出された弱階層ストリーム３１と強階層ストリーム３２との一方を選択ストリームとして選択する再生品質解析部１６と、を具備している。強階層ストリーム３２には、弱階層ストリーム３１の複数のＩフレームうちの受信品質が悪化する直前のＩフレームである悪化直前Ｉフレームｆ２５に同期できるＩフレームが存在しない場合がある。この場合に弱階層ストリーム３１から強階層ストリーム３２に切り替えたとしても、映像が乱れたり、シーンが途切れたりして（少し飛んだりあるいは少し後戻りする）、なめらかなコンテンツの再生を実現できない。そこで、上述の第２の再生方法（図３）において、再生品質解析部１６は、選択ストリームとして弱階層ストリーム３１を選択しているときに、弱階層ストリーム３１の悪化直前Ｉフレームｆ２５に同期できるＩフレームが強階層ストリーム３２に存在しない場合、弱階層ストリーム３１の悪化直前Ｉフレームｆ２５より前のＩフレームｆ２０を切替用Ｉフレームとして特定し、選択ストリームを切替用Ｉフレームｆ２０のタイミングで弱階層ストリーム３１から強階層ストリーム３２に切り替える。このように、本発明の実施形態に係る放送受信装置によれば、階層ごとのストリーム再生位置の検出と、ストリームの読み出し位置前後のＩフレームの位置の検出と、Ｉフレームによる階層間のシーン同期とを行なうことにより、映像乱れとシーン途切れのない階層切替再生を可能にする。
【００５５】
また、本発明の実施形態に係る放送受信装置では、上述の第２の再生方法の応用例（図４）において、再生品質解析部１６は、選択ストリームとして弱階層ストリーム３１を選択しているときに、弱階層ストリーム３１の悪化直前Ｉフレームｆ２５に同期するＩフレームが強階層ストリーム３２に存在しない場合、強階層ストリーム３２の複数のＩフレームうちの、弱階層ストリーム３１の悪化直前Ｉフレームｆ２５の前後のＩフレームに対応するフレームｆ２０とフレームｆ３０との間に、弱階層ストリーム３１の悪化直前Ｉフレームｆ２５に同期できる中間フレームｆ２５’を生成して、弱階層ストリーム３１の悪化直前Ｉフレームｆ２５を切替用Ｉフレームとして特定し、選択ストリームを切替用Ｉフレームｆ２０のタイミングで弱階層ストリーム３１から強階層ストリーム３２に切り替える。このように、本発明の実施形態に係る放送受信装置では、弱階層ストリーム３１の悪化直前Ｉフレームｆ２５に同期できる中間フレームｆ２５’を生成することにより、ユーザは弱階層ストリーム３１の受信品質が悪化する直前まで弱階層ストリーム３１により視聴することができる。
【００５６】
また、本発明の実施形態に係る放送受信装置では、強階層ストリーム３２には、弱階層ストリーム３１の複数のＩフレームうちの受信品質が改善した直後のＩフレームである改善直後Ｉフレームｆ２５に同期できるＩフレームが強階層ストリーム３２に存在しない場合がある。この場合に強階層ストリーム３２から弱階層ストリーム３１に切り替えたとしても、映像が乱れたり、シーンが途切れたりして（少し飛んだりあるいは少し後戻りする）、なめらかなコンテンツの再生を実現できない。そこで、上述の第４の再生方法（図６）またはその応用例（図７）において、再生品質解析部１６は、選択ストリームとして強階層ストリーム３２を選択しているときに、弱階層ストリーム３１の改善直後Ｉフレームｆ２５に同期できるＩフレームが強階層ストリーム３２に存在しない場合、弱階層ストリーム３１の改善直後Ｉフレームｆ２５またはその後のＩフレームｆ３０を切替用Ｉフレームとして特定し、選択ストリームを切替用Ｉフレームのタイミングで強階層ストリーム３２から弱階層ストリーム３１に切り替える。このように、本発明の実施形態に係る放送受信装置によれば、階層ごとのストリーム再生位置の検出と、ストリームの読み出し位置前後のＩフレームの位置の検出と、Ｉフレームによる階層間のシーン同期とを行なうことにより、映像乱れとシーン途切れのない階層切替再生を可能にする。
【００５７】
また、本発明の実施形態に係る放送受信装置において、強階層ストリーム３２は弱階層ストリーム３１よりも所定時間Δｔａｂだけ遅れて強階層で伝送されている。ここで、本発明の実施形態に係る放送受信装置では、再生制御部１３により選択ストリームが読み出された時間に対して、所定時間Δｔａｂよりも長い設定時間Δｔα（図２〜図４）またはΔｔβ（図５〜図７）だけ遅らせて選択ストリームを出力する放送出力部２２をさらに具備する。このため、本発明の実施形態に係る放送受信装置では、再生品質解析部１６は、再生制御部１３がストリームを先読みしている間に、階層ごとのストリーム再生位置の検出と、ストリームの読み出し位置前後のＩフレームの位置の検出と、Ｉフレームによる階層間のシーン同期とを行なうことができる。
【００５８】
以上、この発明の実施形態について図面を参照して詳述してきたが、具体的な構成は実施形態に限られるものではなく、この発明の要旨を逸脱しない範囲の設計等も特許請求の範囲に含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【００５９】
本発明の実施形態に係る放送受信装置で動作するコンピュータプログラム（以下、プログラムと称する）は、本発明に関わる上記実施形態の機能を実現するように、ＣＰＵ等を制御するプログラム（コンピュータを機能させるプログラム）である。そして、これら装置で取り扱われる情報は、その処理的に一時的にＲＡＭに蓄積され、その後、各種ＲＯＭやＨＤＤに格納され、必要に応じてＣＰＵによって読み出し、修正・書き込みが行われる。プログラムを格納する記録媒体としては、半導体媒体（例えば、ＲＯＭ、不揮発性メモリカード等）、光記憶媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上記した実施形態の機能が実現されるだけでなく、そのプログラムの指示に基づき、オペレーティングシステムあるいは他のアプリケーションプログラム等と共同して処理することにより、本発明の機能が実現される場合もある。
【００６０】
また市場に流通させる場合には、可搬型の記録媒体にプログラムを格納して流通させたり、インターネット等のネットワークを介して接続されたサーバコンピュータに転送したりすることができる。この場合、サーバコンピュータの記録装置も本発明に含まれる。また、上述した実施形態における送信局装置および受信局装置の一部、または全部を典型機能ブロックは個別にプロセッサ化してもよいし、一部、または全部を集積してプロセッサ化してもよい。また、集積回路化の手法はＬＳＩに限らず専用回路、または汎用プロセッサで実現しても良い。また、半導体技術の進歩によりＬＳＩに代替する集積回路化の技術が実現した場合、該当技術による集積回路を用いることも可能である。
【符号の説明】
【００６１】
１  チューナ部
２  主制御部
３  分離部
４  映像デコード部
５  音声デコード部
６  アンテナ
７  情報格納部
８  入力部
９  表示部
１０  スピーカ
１１  イヤホン出力部
１２  ブルートゥース出力部
１３  再生制御部
１４  録画制御部
１５  放送記録部
１６  再生品質解析部
２１  放送受信部
２２  放送出力部
【図１】
2014060470.tif 000003
【図２】
2014060470.tif 000004
【図３】
2014060470.tif 000005
【図４】
2014060470.tif 000006
【図５】
2014060470.tif 000007
【図６】
2014060470.tif 000008
【図７】
2014060470.tif 000009
【図８】
2014060470.tif 000010
【図９】
2014060470.tif 000011
【図１０】
2014060470.tif 000012